(57)【要約】【課題】  画像比較により視聴予約実行処理を行なうことができるデータ記録装置、および、データ記録装置を備えた衛星放送受信装置ならびにテレビ受像機を提供すること。【解決手段】  システム制御回路は、一定周期で、チューナを介してＭＰＥＧエンコーダから取得される放送信号に基づく映像データ（以下「受信映像」）と、たとえばハードディスクに記憶された特定の画像データ（以下「記憶画像」という）とを比較する（ステップＳ２）。システム制御回路は、受信画像と記憶画像とが一致したことを検知した場合には（ステップＳ４においてＹＥＳ）、受信中の映像データのチャンネルが視聴予約のチャンネルか否かを判断する（ステップＳ６）。ステップＳ６において、受信中の映像データのチャンネルが視聴予約のチャンネルでないと判断した場合には（ステップＳ６においてＮＯ）、チューナに制御信号を送信して視聴予約のチャンネルに変更する（ステップＳ８）。【選択図】        図２
2006174131.tif 000002
【特許請求の範囲】
【請求項１】
電波を受信するための受信手段と、
前記受信手段で受信された前記電波からチャンネルを選局するための選局手段と、
前記選局手段により選局されたチャンネルより得られる放送信号に基づく映像データを格納するためのデータ格納手段と、
前記データ格納手段に格納された前記映像データから特定の画像データを設定するための画像設定手段と、
前記画像設定手段により設定された前記特定の画像データを記憶するための記憶手段と、
ユーザにより指定されたチャンネルを、前記特定の画像データと対応付けて前記記憶手段に記憶させるためのチャンネル設定手段と、
前記選局手段により選局中の前記チャンネルより得られる前記放送信号に基づく前記映像データと前記記憶手段に記憶された前記特定の画像データとを比較するための画像比較手段と、
前記画像比較手段により比較された結果、前記映像データと前記特定の画像データとが一致していると判断された場合に、前記選局手段に、前記チャンネル設定手段により設定された所定のチャンネルを選局させるための視聴予約実行手段とを備え、
前記視聴予約実行手段は、
前記選局手段により選局中の前記チャンネルが、前記所定のチャンネルと同一であるか否かを判断するためのチャンネル判断手段を含み、
前記チャンネル判断手段により同一でないと判断された場合に、前記選局手段に前記所定のチャンネルに変局させる、データ記録装置。
【請求項２】
電波を受信するための受信手段と、
前記受信手段で受信された前記電波からチャンネルを選局するための選局手段と、
前記選局手段により選局されたチャンネルより得られる放送信号に基づく映像データを格納するためのデータ格納手段と、
前記放送信号に含まれる特定の画像データを記憶するための記憶手段と、
前記選局手段により選局中の前記チャンネルより得られる前記放送信号に基づく前記映像データと前記記憶手段に記憶された前記特定の画像データとを比較するための画像比較手段と、
前記画像比較手段により比較された結果、前記映像データと前記特定の画像データとが一致していると判断された場合に、前記選局手段に、視聴予約された所定のチャンネルを選局させるための視聴予約実行手段とを備える、データ記録装置。
【請求項３】
前記視聴予約実行手段は、
前記選局手段により選局中の前記チャンネルが、前記所定のチャンネルと同一であるか否かを判断するためのチャンネル判断手段を含み、
前記チャンネル判断手段により同一でないと判断された場合に、前記選局手段に前記所定のチャンネルに変局させる、請求項２に記載のデータ記録装置。
【請求項４】
前記データ格納手段に格納された前記映像データから前記特定の画像データを設定して前記記憶手段に記憶させるための画像設定手段をさらに備える、請求項２に記載のデータ記録装置。
【請求項５】
ユーザにより指定されたチャンネルを、前記特定の画像データと対応付けて前記記憶手段に記憶させるためのチャンネル設定手段をさらに備え、
前記所定のチャンネルは、前記チャンネル設定手段により前記記憶手段に記憶された前記チャンネルである、請求項２に記載のデータ記録装置。
【請求項６】
請求項２に記載のデータ記録装置を備えた、衛星放送受信装置。
【請求項７】
請求項２に記載のデータ記録装置を備えた、テレビ受像機。
【発明の詳細な説明】
【技術分野】
【０００１】
本発明は、データ記録装置、および、データ記録装置を備えた衛星放送受信装置ならびにテレビ受像機に関し、特に、画像比較による制御を行なうデータ記録装置、および、該データ記録装置を備えた衛星放送受信装置ならびにテレビ受像機に関する。
【背景技術】
【０００２】
従来より、画像データ等を予め記憶しておき、受信される映像データと比較する技術が開示されている。
【０００３】
たとえば、特許文献１には、フレームメモリに記憶された画像と映像信号中の１フレームの画像とを比較して同一の画像であると判断したときに、録画を開始する録画予約装置が開示されている。また、特許文献２には、予め指定放送番組の前置画像情報の一部を記憶しておき、指定した放送番組の画像情報と一致したときに録画を開始する自動録画制御装置が開示されている。さらに、特許文献３には、希望する番組の日時、曜日、チャンネル等の情報の他に、既に録画されている番組の任意の部分の映像を予約情報として登録することで、予約した映像と同じシーンの映像が流れた時点から録画または再生を開始することができる録画再生装置が開示されている。
【特許文献１】特開平５−５６３６２号公報
【特許文献２】特開平５−５６３８６号公報
【特許文献３】特開２０００−１５５９９８号公報
【発明の開示】
【発明が解決しようとする課題】
【０００４】
上記特許文献１〜３は、画像比較を行なうことにより、受信される映像データの録画処理または再生処理を行なうものであり、画像が一致した場合に所定のチャンネルに変局するものではない。
【０００５】
本発明は、上記のような問題を解決するためになされたものであって、その目的は、画像比較により視聴予約実行処理を行なうことができるデータ記録装置、および、データ記録装置を備えた衛星放送受信装置ならびにテレビ受像機を提供することである。
【課題を解決するための手段】
【０００６】
この発明のある局面に従うデータ記録装置は、電波を受信するための受信手段と、受信手段で受信された電波からチャンネルを選局するための選局手段と、選局手段により選局されたチャンネルより得られる放送信号に基づく映像データを格納するためのデータ格納手段と、データ格納手段に格納された映像データから特定の画像データを設定するための画像設定手段と、画像設定手段により設定された特定の画像データを記憶するための記憶手段と、ユーザにより指定されたチャンネルを、特定の画像データと対応付けて記憶手段に記憶させるためのチャンネル設定手段と、選局手段により選局中のチャンネルより得られる放送信号に基づく映像データと記憶手段に記憶された特定の画像データとを比較するための画像比較手段と、画像比較手段により比較された結果、映像データと特定の画像データとが一致していると判断された場合に、選局手段に、チャンネル設定手段により設定された所定のチャンネルを選局させるための視聴予約実行手段とを備え、視聴予約実行手段は、選局手段により選局中のチャンネルが、所定のチャンネルと同一であるか否かを判断するためのチャンネル判断手段を含み、チャンネル判断手段により同一でないと判断された場合に、選局手段に所定のチャンネルに変局させる。
【０００７】
この発明の他の局面に従うデータ記録装置は、電波を受信するための受信手段と、受信手段で受信された電波からチャンネルを選局するための選局手段と、選局手段により選局されたチャンネルより得られる放送信号に基づく映像データを格納するためのデータ格納手段と、放送信号に含まれる特定の画像データを記憶するための記憶手段と、選局手段により選局中のチャンネルより得られる放送信号に基づく映像データと記憶手段に記憶された特定の画像データとを比較するための画像比較手段と、画像比較手段により比較された結果、映像データと特定の画像データとが一致していると判断された場合に、選局手段に、視聴予約された所定のチャンネルを選局させるための視聴予約実行手段とを備える。
【０００８】
好ましくは、視聴予約実行手段は、選局手段により選局中のチャンネルが、所定のチャンネルと同一であるか否かを判断するためのチャンネル判断手段を含み、チャンネル判断手段により同一でないと判断された場合に、選局手段に所定のチャンネルに変局させる。
【０００９】
好ましくは、データ格納手段に格納された映像データから特定の画像データを設定して記憶手段に記憶させるための画像設定手段をさらに備える。
【００１０】
好ましくは、ユーザにより指定されたチャンネルを、特定の画像データと対応付けて記憶手段に記憶させるためのチャンネル設定手段をさらに備え、所定のチャンネルは、チャンネル設定手段により記憶手段に記憶されたチャンネルである。
【００１１】
また、上述のデータ記録装置を備えた、衛星放送受信装置とすることが望ましい。
【００１２】
また、上述のデータ記録装置を備えた、テレビ受像機とすることが望ましい。
【発明の効果】
【００１３】
本発明によると、受信中の映像データと記憶された特定の画像データとを比較して、一致していると判断されると、視聴予約されていたチャンネルに変局することが可能となる。これにより、ユーザがその都度チャンネルを変えなくてはならないという煩わしさをなくすことが可能となる。また、時刻にとらわれずに映像データの視聴をすることが可能となる。
【００１４】
また、ユーザ自身が特定の画像データと視聴予約とを容易に設定することができる。
【発明を実施するための最良の形態】
【００１５】
本発明の実施の形態について図面を参照しながら詳細に説明する。なお、図中同一または相当部分には同一符号を付してその説明は繰返さない。
【００１６】
図１を参照して、本発明の実施の形態に係るデータ記録装置の一態様であるＤＶＤレコーダ１００について説明する。図１は、ＤＶＤレコーダ１００のハードウェア構成を表わすブロック図である。
【００１７】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８と、電源部１２９とを含む。なお、表示部１２８に表示される作動状態とは、たとえば、ＤＶＤレコーダにおける時刻情報、番組の録画状態等である。
【００１８】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが格納されるハードディスク１４４とを含む。
【００１９】
図２は、本実施の形態に係るＤＶＤレコーダ１００のシステム制御回路１１０が実行する視聴予約実行処理の流れを示すフローチャートである。
【００２０】
図２を参照して、システム制御回路１１０は、一定周期で、ＭＰＥＧエンコーダ１５２から取得される放送信号に基づく映像データ（以下「受信映像」）と、たとえばハードディスク１４４に記憶された特定の画像データ（以下「記憶画像」という）とをメモリ１１２において比較する（ステップＳ２）。本実施の形態において、ＭＰＥＧエンコーダ１５２から取得される映像データは、ハードディスク１４４にコピーする前にメモリ１１２に書き込まれる。したがって、メモリ１１２においてハードディスク１４４にコピーされる前の受信映像と記憶画像とを比較する。なお、この記憶画像については、後に詳述する。
【００２１】
上記ステップＳ２においては、たとえば、受信映像（動画像）の１フレーム分のデータと記憶画像の１フレーム分のデータとを１対１で重ね合わせ、これらをぼかして比較するものとする。なお、画像比較はこのような方法に限らず、公知の技術を用いて行なうことができる。また、各々の画像データを構成する複数の点の情報を波の情報に変換して比較することとしてもよい。このようにすることにより、受信映像と記憶画像とが完全に一致していない場合でも、同様の画像であるときは一致したと判断することができる。
【００２２】
システム制御回路１１０は、受信映像と記憶画像とが一致したことを検知するまでステップＳ２の処理を繰り返す（ステップＳ４においてＮＯ）。
【００２３】
システム制御回路１１０は、受信画像と記憶画像とが一致したことを検知した場合には（ステップＳ４においてＹＥＳ）、受信中の映像データのチャンネルが視聴予約のチャンネルか否かを判断する（ステップＳ６）。なお、「視聴予約のチャンネル」とは、たとえばハードディスク１４４に記憶画像と対応付けられて格納されているチャンネルである。この視聴予約のチャンネルの設定方法については後述する。
【００２４】
ステップＳ６において、システム制御回路１１０は、受信中の映像データのチャンネルが視聴予約のチャンネルであると判断した場合には（ステップＳ６においてＹＥＳ）、ステップＳ２に戻る。一方、受信中の映像データのチャンネルが視聴予約のチャンネルでないと判断した場合には（ステップＳ６においてＮＯ）、チューナ１３０に制御信号を送信して視聴予約のチャンネルに変更する（ステップＳ８）。以上で、この視聴予約実行処理を終了する。
【００２５】
このような制御がされることにより、アンテナ１９０およびチューナ１３０を介してＭＰＥＧエンコーダ１５２から得られる受信映像が、記憶画像と一致していた場合には、自動的に視聴予約のチャンネルの映像データを受信する処理、すなわち、視聴予約実行処理を実行する。したがって、ユーザが毎回チャンネルの異なる複数の番組（コーナー）を連続して視聴する場合、その都度リモコン（図示せず）等によりチャンネルを変えなければならないという煩わしさをなくすことができる。また、時刻にとらわれずに希望の番組（コーナー）の視聴をすることができる。したがって視聴のし忘れを防止することができる。
【００２６】
ここで、記憶画像について説明する。本実施の形態において、記憶画像は、たとえば、ハードディスク１４４やＤＶＤ１７２に格納された映像データから、ユーザにより設定される。図３は、本発明の実施の形態においてシステム制御回路１１０が実行する記憶画像設定処理の流れを示すフローチャートである。なお、図３に示す処理は、ユーザによって、たとえば図示しないリモコン等で記憶画像設定処理が選択された場合に開始される処理である。また、ここでは、記憶画像は、ハードディスク１４４に格納されたタイトルごとの映像データに基づいて設定されるものとする。
【００２７】
図３を参照して、システム制御回路１１０は、はじめに、ハードディスク１４４に格納されている映像データのタイトル一覧を表示させる（ステップＳ１２）。次に、ユーザからタイトルが指定されたか否かを判断する（ステップＳ１４）。システム制御回路１１０は、ユーザによりタイトルが指定されたことを検知するまで待機する（ステップＳ１４においてＮＯ）。
【００２８】
システム制御回路１１０は、タイトルが指定されたことを検知した場合に（ステップＳ１４においてＹＥＳ）、記憶画像設定画面を表示させる（ステップＳ１６）。次に、指定されたタイトルを再生する（ステップＳ１８）。システム制御回路１１０は、ユーザから画像が指定されたか否かを判断する（ステップＳ２０）。システム制御回路１１０は、ユーザから画像が指定されたことを検知するまで指定されたタイトルの再生を行なう（ステップＳ２０においてＮＯ）。
【００２９】
システム制御回路１１０は、ユーザにより画像が指定されたことを検知すると（ステップＳ２０においてＹＥＳ）、再生を停止する（ステップＳ２２）。そして、指定された画像データを記憶画像としてハードディスク１４４に記憶させる（ステップＳ２４）。ここで、記憶画像として記憶させる画像データは、たとえば、フレーム内符号化されたＩピクチャとしてもよい。以上で、この記憶画像設定処理を終了する。
【００３０】
本実施の形態においては、記憶画像は、ハードディスク１４４の管理領域に記憶されるものとする。また、この記憶画像は、１つに限らず、複数記憶されるものとする。
【００３１】
図４は、図３のステップＳ１６で表示した記憶画像設定画面の一例を示す図である。表示領域３１には、ステップＳ１４で指定されたタイトル名が表示される。表示領域３２には、ステップＳ１８で再生される映像が表示される。表示領域３３には、指定されたタイトルのうち、表示領域３２に表示される映像の位置が表示される。
【００３２】
このように記憶画像の設定に記憶画像設定画面を設けることにより、ユーザが簡単に記憶画像を設定することができる。
【００３３】
図４を参照して、ユーザが、テレビ４００の画面に一覧表示されたタイトルの中からたとえば「めざまし番組」を選択したとすると（図３のステップＳ１２）、表示領域３１にはそのタイトル名が表示される（ステップＳ１６）。ユーザが表示領域３２に再生表示される映像を見ながら、たとえば図示しないリモコンなどで記憶させたい画像を指定する（Ｓ２０）。ここではたとえば「めざまし番組」の占いコーナーが始まる時の画像（「今日の占いＣｏｕｎｔＤｏｗｎ」）を指定する。
【００３４】
このように画像が指定されると表示領域３２の再生が停止され（ステップＳ２２）、再生が停止された位置ＰＧの画像を、記憶画像として記憶させる（ステップＳ２４）。
【００３５】
なお、記憶画像の設定方法は上記の例に限られない。たとえば、ＤＶＤ１７２に格納された映像データから記憶画像を設定することとしてもかまわない。この場合、予め設定されたチャプタを利用することもできる。また、図示しないリモコンに記憶画像設定専用のボタンを設けることとしてもかまわない。たとえば、ハードディスク１４４やＤＶＤ１７２に格納されている映像データの再生中に、この専用ボタンを押すことにより記憶画像を決定して記憶させることができる。
【００３６】
また、ユーザによらず、予め画像（記憶画像）が記憶されていてもかまわない。また、過去にユーザが所定回数（たとえば３回）他の特定のチャンネルに変えた画像があれば、その画像を記憶画像として記憶することとしてもかまわない。
【００３７】
次に、視聴予約のチャンネルの設定方法について説明する。
【００３８】
図５は、本発明の実施の形態においてシステム制御回路１１０が実行する視聴予約設定処理の流れを示すフローチャートである。なお、図５に示す処理は、ユーザによって、たとえば図示しないリモコン等で視聴予約設定処理が選択された場合に開始される処理である。
【００３９】
図５を参照して、システム制御回路１１０は、はじめに、ハードディスク１４４の管理領域に記憶されている記憶画像一覧を表示させる（ステップＳ４２）。次に、ユーザから記憶画像が選択されたか否かを判断する（ステップＳ４４）。システム制御回路１１０は、ユーザにより記憶画像が選択されたことを検知するまで（ステップＳ４４においてＮＯ）、記憶画像一覧を表示する（ステップＳ４２）。
【００４０】
システム制御回路１１０は、記憶画像が選択されたことを検知した場合に（ステップＳ４４においてＹＥＳ）、視聴予約設定画面を表示させる（ステップＳ４６）。次に、チャンネルが指定されたか否かを判断する（ステップＳ４８）。システム制御回路１１０は、チャンネルが指定されたことを検知するまで（ステップＳ４８においてＮＯ）、視聴予約設定画面を表示する（ステップＳ４６）。
【００４１】
システム制御回路１１０は、チャンネルが指定されたことを検知すると（ステップＳ４８においてＹＥＳ）、指定されたチャンネルをステップＳ４４で選択された記憶画像と対応付けてハードディスク１４４の管理領域に記憶させる（ステップＳ５０）。以上で、この視聴予約設定処理を終了する。
【００４２】
このように、本発明の実施の形態において、記憶画像の設定と視聴予約の設定とを画面上で行なうことができるため、簡単に希望の番組（コーナー）の視聴予約をすることができる。
【００４３】
なお、記憶画像とチャンネル情報とが対応付けられれば、ハードディスク１４４の管理領域以外に記憶させることとしてもかまわない。たとえばメモリ１１２内の不揮発性メモリに記憶画像とチャンネル情報とを記憶されることとしてもよい。
【００４４】
図６は、視聴予約設定処理の際に表示される画面の具体例を示す図である。図６（ａ）は、図５のステップＳ４２で表示される記憶画像一覧の一例を示す図である。図６（ａ）を参照して、表示領域５１には、ハードディスク１４４の管理領域に記憶された記憶画像が、たとえば６フレーム分（記憶画像１〜記憶画像６）表示される。また、表示領域５１の下部には、ユーザに記憶画像の選択を促すためのメッセージ（「視聴予約をしたい画像を選択してください」）Ｍ１が表示される。
【００４５】
図６（ｂ）は、図５のステップＳ４６で表示される視聴予約設定画面の一例を示す図である。図６（ｂ）を参照して、表示領域５２にはステップＳ４４で選択された記憶画像が表示される。また、表示領域５３は、ステップＳ４８で指定されるチャンネル情報を表示するための領域である。また、表示領域５２および表示領域５３の下部には、ユーザにチャンネルの指定を促すためのメッセージ（「チャンネルを指定してください」）Ｍ２が表示される。
【００４６】
たとえば、図６（ａ）の表示領域５１に表示された記憶画像の中から、「記憶画像３」がユーザにより図示しないリモコン等を用いて選択された場合、図６（ｂ）の表示領域５２には、その「記憶画像３」が表示される。また、図６（ｂ）の表示領域５３には、ユーザにより指定されたチャンネルを示す数字、たとえば「４」が表示される。なお、表示領域５３に表示されるチャンネル情報は、数字に限らずたとえば放送局を表示することとしてもかまわない。
【００４７】
なお、本実施の形態において、本発明にかかるデータ記録装置は、ハードディスク装置１４０およびＤＶＤ駆動装置１７０の両方を含む構成としたが、ハードディスク装置１４０だけであってもかまわないし、ＤＶＤ駆動装置１７０だけであってもかまわない。
【００４８】
また、本実施の形態において、記憶画像設定処理と視聴予約設定処理とを別々に行なうこととしたが、記憶画像を設定する際に同時にチャンネルを指定して視聴予約を行なうこととしてもよい。
【００４９】
（変形例）
図７を参照して、本発明の実施の形態の変形例について説明する。図７は、データ記録装置の一態様であるＤＶＤレコーダ２００のハードウェア構成を表わすブロック図である。
【００５０】
上記実施の形態におけるＤＶＤレコーダ１００では、チューナ１３０とＭＰＥＧエンコーダ１５２とは各々１つずつであったが、本発明の実施の形態の変形例におけるＤＶＤレコーダ２００では、チューナ１３０とＭＰＥＧエンコーダ１５２とを複数備える。なお、他の構成および動作については、上記実施の形態と同様であるので、これらについての説明を繰り返さない。
【００５１】
図７を参照して、ＤＶＤレコーダ２００は、アンテナ１９０を介して受信される電波からチューナ１３０ａおよびチューナ１３０ｂの両方で所定の電波を選択する。そして、チューナ１３０ａにおいて選択された電波に基づく映像データは、ＭＰＥＧエンコーダ１５２ａに入力される。また、チューナ１３０ｂにおいて選択された電波に基づく映像データは、ＭＰＥＧエンコーダ１５２ｂに入力される。
【００５２】
変形例において、たとえば、チューナ１３０ａを介してＭＰＥＧエンコーダ１５２ａから得られる映像データは視聴用に用いられる。したがって、ＭＰＥＧエンコーダ１５２ａから得られる映像データは、ハードディスク１４４のタイムシフト領域に書き込まれ、通常通りの処理が行なわれる。
【００５３】
また、チューナ１３０ｂを介してＭＰＥＧエンコーダ１５２ｂから得られる映像データは画像比較用に用いられる。したがって、ＭＰＥＧエンコーダ１５２ａから得られる映像データは、メモリ１１２に書き込まれ、記憶画像との比較にのみ用いられる。
【００５４】
このように視聴用の映像データと画像比較用の映像データとを分けることにより、制御を容易にすることが可能となる。
【００５５】
なお、本発明の実施の形態において、画像比較をすることとしたが、音声信号を比較することにより電源制御を行なうこととしてもよい。
【００５６】
また、テレビ受像機やセットトップボックスのような衛星放送受信装置（受信コンバータ）にデータ記録装置が内蔵されている構成であってもよい。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５８】
【図１】本発明の実施の形態に係るＤＶＤレコーダのハードウェア構成を表わすブロック図である。
【図２】システム制御回路が実行する視聴予約実行処理の流れを示すフローチャートである。
【図３】システム制御回路が実行する記憶画像設定処理の流れを示すフローチャートである。
【図４】図３のステップＳ１６で表示する記憶画像設定画面の一例を示す図である。
【図５】システム制御回路が実行する視聴予約設定処理の流れを示すフローチャートである。
【図６】視聴予約設定処理の際に表示される画面の具体例を示す図である。
【図７】本発明の実施の形態の変形例に係るＤＶＤレコーダのハードウェア構成を表わすブロック図である。
【符号の説明】
【００５９】
１００  ＤＶＤレコーダ、１１０  システム制御回路、１１２  メモリ、１１４  ＯＳＤ画像生成回路、１２２  操作部、１２４  受光部、１２６  計時回路、１２８  表示部、１２９  電源部、１３０，１３０ａ，１３０ｂ  チューナ、１３２  外部入力部、１４０  ハードディスク装置、１４２  データ記録再生ヘッド、１４４  ハードディスク、１５２，１５２ａ，１５２ｂ  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、１９２  伝送ケーブル、４００  テレビ。
【図１】
2006174131.tif 000003
【図２】
2006174131.tif 000004
【図３】
2006174131.tif 000005
【図４】
2006174131.tif 000006
【図５】
2006174131.tif 000007
【図６】
2006174131.tif 000008
【図７】
2006174131.tif 000009